(57)【要約】【課題】軒樋支持具に重い荷重が加わったときでも、鼻隠し板等の被取付け面に固着された取付け座が脱落することなくしっかりと軒樋支持具を軒下に固定し、軒樋を吊り下げ支持することのできる軒樋支持具を提供する。【解決手段】軒樋８を吊り下げ支持する支持部２と固定部４と該固定部４と支持部２とを連結するアーム部３とからなり、上記固定部４の上部に取付け基座１が連設された軒樋支持具であって、被取付け面に取着される上記取付け基座１は、垂直被取付け面に固定される垂直取付け座１１と水平被取付け面に固定される水平取付け座１２とからなる軒樋支持具Ａ。好ましくは、上記垂直被取付け面に固定される垂直取付け座１１と水平被取付け面に固定される水平取付け座１２とからなる取付け基座１が逆Ｌ字型に一体的に形成される。【選択図】図２
2009102865.tif 000002
【特許請求の範囲】
【請求項１】
軒樋を吊り下げ支持する支持部と固定部と該固定部と支持部とを連結するアーム部とからなり、上記固定部の上部に取付け基座が連設された軒樋支持具であって、被取付け面に取着される上記取付け基座は、垂直被取付け面に固定される垂直取付け座と水平被取付け面に固定される水平取付け座とからなる軒樋支持具。
【請求項２】
上記垂直被取付け面に固定される垂直取付け座と水平被取付け面に固定される水平取付け座とが一体的に形成され、取付け基座を構成してなる請求項１に記載の軒樋支持具。
【請求項３】
上記垂直被取付け面に固定される垂直取付け座と水平被取付け面に固定される水平取付け座とからなる取付け基座が逆Ｌ字型に一体的に形成されてなる請求項１に記載の軒樋支持具。
【請求項４】
上記逆Ｌ字型に一体的に形成されてなる取付け基座が補強片により支保された請求項３に記載の軒樋支持具。
【発明の詳細な説明】
【技術分野】
【０００１】
本願発明は、軒樋を吊り下げ支持する軒樋支持具に関し、例えば、寒冷地において軒樋に雪が積もったり、溶けた雪が氷結して重くなり、軒樋支持具への荷重が大きくなったときでも、その荷重に耐えることのできる軒樋支持具に関するものである。
【背景技術】
【０００２】
建物の柱や壁、鼻隠し板などの被取付け面に各種雨樋、例えば軒樋を取り付ける際に使用する軒樋支持具としては、例えば本願図５に示す吊り下げ式の軒樋支持具Ｃが知られている。すなわち、本願図５に示すように、公知の軒樋支持具Ｃは、その本体が被取付け面に取着される取付け座１ｂと軒樋を支持する支持部２ｂとからなり、支持部２ｂの先端には軒樋の屋外側となる前耳部を支持する前耳支持部２１ｂが設けられている。上記支持部２ｂは、アーム部３ｂによって取付け座１ｂと連結され、一体的に形成されている。
【０００３】
一方、支持部２ｂの下面部２２ｂには板バネ片２３ｂが延出して設けられるとともに、取付け座１ｂの屋外側には、係止片１１ｂが上方に傾斜して形成され、上記板バネ片２３ｂとこの係止片１１ｂとが軒樋の屋内側となる後耳部を挟持するように吊り下げて支持し、上記前耳支持部２１ｂと共に軒樋を吊り下げ支持する。また、取付け座１ｂには、複数の挿通孔４ｂが穿たれ、挿通孔４ｂを挿通する釘、ネジ等の固着具によって被取付け面にしっかりと固定される。このようにして、軒樋支持具Ｃは軒下の鼻隠し板などの被取付け面に固定され、図外軒樋が取り付けられる。
【０００４】
上記被取付け面としては、例えば、木製の鼻隠し板あるいは、木製の鼻隠し板を防火対策や美観の面で、鋼板の表面を塩化ビニル樹脂材料にて被覆した化粧鋼板、いわゆる塩ビ鋼板で覆われたものを使用することが多い。
【０００５】
一方、屋根から流下する雨水の一部は、図５に示す軒樋支持具Ｃのアーム部３ｂに当たって跳ね返り、あるいはアーム部３ｂの側縁を伝って走り、鼻隠し板を濡らしたり、軒裏に回り、建物側に浸入し、建物を傷めるおそれがある。また、雫となって滴下し、この雫が、軒裏地面から跳ね返って住宅の基礎を汚すというおそれもある。
【０００６】
そこで、特開平０７−２１７１２０号公報には、雨水を確実に軒樋内に導く軒樋の吊り金具が提案されている。上記特許文献に記載の軒樋の吊り金具は、その第１図に示されているように、軒樋の後端に形成された補強縁上に吊金具を構成する水平片が位置する軒樋の吊金具において、上記水平片の上面に軒下側から軒裏側に走る雨水を堰き止める水切り突起を備えたことを特徴とし、上記水切り突起が軒裏側から軒下側に向かって徐々に下向きに傾斜する稜線とこの稜線を中心にして両側に下向きに傾斜する傾斜面を備えたことを特徴としている。
【特許文献１】特開平０７−２１７１２０号公報
【発明の開示】
【発明が解決しようとする課題】
【０００７】
上記特許文献１に記載の軒樋の吊り金具は、前記した問題点を解決するとともに、ビス等により鼻隠し板等の被取付け面に取付け座を介して固着されている。しかしながら、例えば、寒冷地において軒樋に雪が積もったり、溶けた雪が氷結して重くなり、軒樋支持具への荷重が大きくなったときや強風等により軒樋が煽られた場合、取付け座を固着する取付け用ビスが外れ、軒樋支持具全体が脱落するという問題がある。本発明は上記背景技術に鑑みてなされたものであり、その目的は、軒樋支持具に重い荷重が加わったときでも、鼻隠し板等の被取付け面に固着された取付け座が脱落することなくしっかりと軒樋支持具を軒下に固定し、軒樋を吊り下げ支持することのできる軒樋支持具を提供することにある。
【課題を解決するための手段】
【０００８】
上記課題を解決するために、本願請求項１記載の発明に係る軒樋支持具は、軒樋を吊り下げ支持する支持部と固定部と該固定部と支持部とを連結するアーム部とからなり、上記固定部の上部に取付け基座が連設された軒樋支持具であって、被取付け面に取着される上記取付け基座は、垂直被取付け面に固定される垂直取付け座と水平被取付け面に固定される水平取付け座とからなることを特徴としている。
【０００９】
本願請求項２記載の発明は、上記請求項１記載の軒樋支持具において、上記垂直被取付け面に固定される垂直取付け座と水平被取付け面に固定される水平取付け座とが一体的に形成され、取付け基座を構成することを特徴としている。
【００１０】
本願請求項３記載の発明は、上記請求項１記載の軒樋支持具において、上記垂直被取付け面に固定される垂直取付け座と水平被取付け面に固定される水平取付け座とからなる取付け基座が逆Ｌ字型に一体的に形成されてなることを特徴としている。
【００１１】
本願請求項４記載の発明は、上記請求項３記載の軒樋支持具において、上記逆Ｌ字型に一体的に形成されてなる取付け基座が補強片により支保されたことを特徴としている。
【発明の効果】
【００１２】
本願請求項１記載の発明に係る軒樋支持具においては、被取付け面に取着される取付け基座が、垂直被取付け面に固定される垂直取付け座と水平被取付け面に固定される水平取付け座とからなるため、軒下の直角入隅部に脱落することなく、しっかりと取り付けることができる。なお、ここで直角入隅部とは軒下等で鼻隠し板等の垂直被取付け面と「淀」と呼ばれる軒下に横長に設けられた横木の下面等の水平被取付け面とが構成する直角角部を有する空間をいう。
【００１３】
本願請求項２記載の発明に係る軒樋支持具においては、特に、上記垂直被取付け面に固定される垂直取付け座と水平被取付け面に固定される水平取付け座とを合成樹脂で一体的に形成することにより、強度が向上し、デザイン的に優れたものを大量生産することができる。
【００１４】
本願請求項３記載の発明に係る軒樋支持具においては、特に、上記垂直被取付け面に固定される垂直取付け座と水平被取付け面に固定される水平取付け座とからなる取付け基座が逆Ｌ字型に一体的に形成されてなるため、取付け基座が構造的に強化され、よりしっかりと軒樋支持具を軒下の直角入隅部に取付けることができる。そして、寒冷地等で軒樋への積雪や、溶けた雪が氷結して重くなり軒樋支持具への荷重が大となってもその荷重に耐えてしっかりと軒樋を吊り下げ支持することができる。
【００１５】
本願請求項４記載の発明に係る軒樋支持具においては、特に、上記逆Ｌ字型に一体的に形成されてなる取付け基座が補強片により支保されているため、取付け基座が構造的に、さらに強化され、しっかりと軒樋支持具を軒下の直角入隅部に取付けることができる。
【発明を実施するための最良の形態】
【００１６】
図１は、本願発明の第１実施形態にかかる軒樋支持具Ａの要部を示す部分斜視図である。図１に示すように、上記軒樋支持具Ａは、固定部４と図外軒樋を吊り下げ支持する支持部２と上記固定部４と支持部２とを連結するアーム部３とからなり、上記支持部２の屋内側下端には軒樋の屋内側となる後耳部を支持する後耳支持部２１が付設され、固定部４の屋外側には上記後耳支持部２１と共に軒樋４の後耳部を支持する係止片４１が突設されている。
【００１７】
一方、上記固定部４の上部には図外垂直被取付け面に固定される垂直取付け座１１と図外水平被取付け面に固定される水平取付け座１２とからなる取付け基座１が設けられ、垂直取付け座１１と水平取付け座１２のそれぞれには、挿通孔１１１、挿通孔１２１が穿たれている。このように、取付け基座１を垂直、水平の二つの取付け座から構成することによって、軒樋支持具Ａを軒下の直角入隅部にしっかりと脱落することなく取り付けることができる。
【００１８】
図２は、本願発明の第２実施形態にかかる軒樋支持具Ｂの要部を示す部分斜視図である。図２に示されているように、第２実施形態においては、第１実施形態における垂直取付け座１１と水平取付け座１２とを一体化して側面視逆Ｌ字型の取付け基座１ａが固定部４の上部に連設されている。このように、第１実施形態における垂直取付け座１１と水平取付け座１２とを一体化し、側面視逆Ｌ字型の取付け基座１ａとすることにより取付け基座１ａが構造的に強化され、よりしっかりと軒樋支持具Ｂを軒下の直角入隅部に取付けることができる。そして、軒樋に積雪や氷結等で荷重が加わっても、その重みに耐えてしっかりと該軒樋を吊り下げ支持することができる。
【００１９】
図３は、上記第２実施形態にかかる軒樋支持具Ｂの改良例の要部を示す部分斜視図である。図３に示すように、上記改良例においては、逆Ｌ字型に一体的に形成されてなる取付け基座１ａの垂直取付け座１１と水平取付け座１２との間に補強片１３を介装している。このように補強片１３を設けることにより、取付け基座１ａが構造的に、さらに強化され、しっかりと軒樋支持具Ｂを軒下の直角入隅部に取付けることができる。そして、軒樋に積雪や氷結等で荷重が加わってもその重みに耐え、また強風により軒樋が煽られても、取付け基座１ａは、被取付け面から外れることなく、しっかりと軒樋を吊り下げ支持することができる。
【００２０】
図４は、本願発明の第２実施形態にかかる軒樋支持具Ｂを軒下に取り付けた状態を示す部分断面側面図である。図４に示すように、上記軒樋支持具Ｂの取付け基座１ａは、その
垂直取付け座１１を、挿通孔１１１を挿通する取付け用ビスによって鼻隠し板５にビス固定され、水平取付け座１２は、挿通孔１２１を挿通する取付け用ビスによって軒下に横長に鼻隠し板５に固定された淀６と呼ばれる横木の下面に、ビス固定される。このようにして、軒樋支持具Ｂを軒下に形成された直角入隅部にしっかりと取り付けることができる。
【００２１】
また、取付け基座１ａを垂直取付け座１１と水平取付け座１２とから構成することにより、それぞれの取付け座にかかる力が分散されるため、垂直取付け座１１と水平取付け座１２とを薄く形成することができる。その結果、厚さの薄い淀が施工された場合でも、軒樋支持具Ｂをより駆体側に近付けて取付けることが可能となり、屋根７の先端から落下する雨水を軒樋８の中央部付近に落下させることができる。
【００２２】
上記軒樋支持具Ｂを構成する樹脂としては、例えば、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などのエンジニアリング樹脂を使用することができる。コスト、品質および成形性の面から、ＰＣ（ポリカーボネート樹脂）が好ましく用いられる。また、軒樋８としては、前記したように、硬質塩化ビニル樹脂、ポリカーボネート樹脂、ＡＢＳ樹脂などが用いられるが、コスト性、成形性等の観点から、特に硬質塩化ビニル樹脂が好ましく用いられる。
【００２３】
以上述べたように、軒樋８内へ雪が積もったり、溶けた雪が氷結すること等によって軒樋８が重くなった場合でも、垂直被取付け面と水平被取付け面とに本願発明の軒樋支持具Ｂの取付け基座１ａが固着されているため、取付け基座１ａは脱落することがなく、軒樋支持具Ｂをしっかりと軒下に固定することができる。
【図面の簡単な説明】
【００２４】
【図１】本願発明の第１実施形態にかかる軒樋支持具の要部を示す部分斜視図。
【図２】本願発明の第２実施形態にかかる軒樋支持具の要部を示す部分斜視図。
【図３】本願発明の第２実施形態にかかる軒樋支持具の改良例の要部を示す部分斜視図。
【図４】本願発明の第２実施形態にかかる軒樋支持具を軒下に取り付けた状態を示す部分断面側面図。
【図５】公知の軒樋支持具を示す斜視図。
【符号の説明】
【００２５】
Ａ      本願発明の第１実施形態にかかる軒樋支持具
Ｂ      本願発明の第２実施形態にかかる軒樋支持具
Ｃ      公知の軒樋支持具
１      第１実施形態にかかる取付け基座
１ａ    第２実施形態にかかる取付け基座
１１    垂直取付け座
１１１  挿通孔
１２    水平取付け座
１２１  挿通孔
１３    補強片
２      支持部
２１    後耳支持部
３      アーム部
４      固定部
４１    係止片
５      鼻隠し板
６      淀
７      屋根
８      軒樋
１ｂ    公知の軒樋支持具における取付け座
１１ｂ  上記取付け座における係止片
２ｂ    公知の軒樋支持具における支持部
２１ｂ  上記支持部における前耳支持部
２２ｂ  上記支持部における下面部
２３ｂ  上記支持部における板バネ片
３ｂ    公知の軒樋支持具におけるアーム部
４ｂ    公知の軒樋支持具における挿通孔
【図１】
2009102865.tif 000003
【図２】
2009102865.tif 000004
【図３】
2009102865.tif 000005
【図４】
2009102865.tif 000006
【図５】
2009102865.tif 000007